(57)【要約】      （修正有）【課題】様々なデザインに変形可能であり、様々な色や柄を選ぶこともできるバリエーション豊かな髪留具を提供する。【解決手段】帯状体の長手方向の両端縁を縫い合わせて筒形状にするとともに、短手方向の両端縁を縫い合わせてリング状にした環状筒部と、環状筒部の筒の中に挿通されたリング状の弾性体からなる中ゴムと、を有する髪留本体１と、髪留本体の環状筒部の外側に設けられ、環状筒部を挿通可能な直径を備えたリング形状の係止部３と、係止部と髪留本体との間隙に差し込んで保持する帯状またはシート状の装飾部２と、を備える。【選択図】図２
0003198486.tif 000002
【実用新案登録請求の範囲】
【請求項１】
帯状体の長手方向の両端縁を縫い合わせて筒形状にするとともに、短手方向の両端縁を縫い合わせてリング状にした環状筒部と、前記環状筒部の筒の中に挿通されたリング状の弾性体からなる中ゴムと、を有する髪留本体と、
前記髪留本体の前記環状筒部の外側に設けられ、前記環状筒部を挿通可能な直径を備えたリング形状の係止部と、
前記係止部と前記髪留本体との間隙に差し込んで保持する帯状またはシート状の装飾部と、を備えたことを特徴とする髪留具。
【請求項２】
前記係止部は、リング形状のワイヤーを備えたことを特徴とする請求項１に記載の髪留具。
【請求項３】
前記装飾部は、長手方向に沿って、内部または裏側にステンレスその他のワイヤーを備えたことを特徴とする請求項１または請求項２に記載の髪留具。
【請求項４】
前記装飾部は、表面と裏面とが相違する色または相違する柄であることを特徴とする請求項１から請求項３いずれか１つに記載の髪留具。
【考案の詳細な説明】
【技術分野】
【０００１】
本考案は、様々なデザインに変形可能でバラエティに富んだ装飾が可能な髪留具に関する。
【背景技術】
【０００２】
従来、髪をまとめ束ねるための髪留具として、布地や織物地を筒状体に縫製して長手方向の両端を重ね合わせてリング状とした環状筒体の内部に、ゴム紐その他の輪状弾性体を挿通した、シュシュと呼ばれる髪留具がある。当該髪留具は、様々な色や柄の布地で作られたものが流通しており、多くの女性は、様々なデザインの髪留具を楽しむため、複数の髪留具を所持しており、その日の服装や気分にあわせて、髪留具を使用している。
【０００３】
しかし、それら髪留具は、１つの髪留具で１つのデザインであることが通常であるため、外出先で、気分を変えるため髪形を変えた際には、同じ髪留具を使用しなければならない。外出先や旅先で、違うデザインの髪留具を使用したい場合は、あらかじめ、複数の髪留具を持参しなければならず、荷物が増えて煩わしいという問題があった。また、髪留具のデザインは、繰り返し使用していると飽きてしまうので、頻繁に買い替える必要があり、コストがかかるという問題もあった。
【特許文献１】特開２０１３−１７７１９号公報
【考案の概要】
【考案が解決しようとする課題】
【０００４】
１つの髪留具で、複数の装飾が可能な髪留具として、特許文献１に記載されたような髪留具が考案されている。しかし、当該髪留具は、２通りのデザインで使用できるのみで、まだまだ、バリエーションが少ない。また、髪留具の形状を少し変えるのみで、色や柄は同じであるため、旅先で、服装を替えた際に、その服に合う色や柄の髪留具を選択したい場合は、色や柄の違う複数の髪留具を持参する必要があった。そこで、この考案は、様々なデザインに変形可能であり、様々な色や柄を選ぶこともできるバリエーション豊かな髪留具を提供することにある。
【課題を解決するための手段】
【０００５】
本考案の髪留具は、帯状体の長手方向の両端縁を縫い合わせて筒形状にするとともに、短手方向の両端縁を縫い合わせてリング状にした環状筒部と、前記環状筒部の筒の中に挿通されたリング状の弾性体からなる中ゴムと、を有する髪留本体と、前記髪留本体の前記環状筒部の外側に設けられ、前記環状筒部を挿通可能な直径を備えたリング形状の係止部と、前記係止部と前記髪留本体との間隙に差し込んで保持する帯状またはシート状の装飾部と、を備えたことを特徴とする。
【０００６】
この考案によれば、帯状またはシート状の装飾部を係止部のリングの中に通して、係止部が装飾部の中心にくるようにすれば、装飾部と係止部とが、大きなリボン形状を形成し、髪を華やかに装飾することができる。また、装飾部の両端を、係止部のリングの中に差し入れれば、装飾部と係止部とが、小ぶりなリボン形状となり、落ち着いたデザインの髪留具として使用できる。
【０００７】
また、この考案の髪留具の前記係止部は、リング形状のワイヤーを備えたことを特徴とする。
【０００８】
この考案によれば、装飾部を係止部に挿通する際、係止部のリング形状がつぶれることがなくリング内側に空間が確保され、装飾部を挿通しやすい。
【０００９】
また、この考案の髪留具の前記装飾部は、長手方向に沿って、内部または裏側にステンレスその他のワイヤーを備えたことを特徴とする。
【００１０】
この考案によれば、装飾部の長手方向に沿って、内部または裏側にステンレスその他のワイヤーが備えられているので、ある程度の強度があり、装飾部を係止部のリングの中に通しやすい。
【００１１】
また、この考案の髪留具の前記装飾部は、表面と裏面とが相違する色または相違する柄であることを特徴とする。
【００１２】
この考案によれば、  この考案によれば、帯状またはシート状の装飾部を係止部のリングの中に通して、係止部が装飾部の中心にくるようにすれば、装飾部と係止部とが、大きなリボン形状を形成し、髪を華やかに装飾することができる。また、装飾部の両端を、係止部のリングの中に差し入れれば、装飾部と係止部とが、小ぶりなリボン形状となり、落ち着いたデザインの髪留具として使用できる。さらに、装飾部は、表面と裏面が相違する色や柄であるので、その日の気分や服装によって、色や柄を合わせて髪留具を使用することができる。
【図面の簡単な説明】
【００１３】
【図１】この考案の実施形態１にかかる髪留具１００の第一形態の斜視図である。
【図２】図１に示した髪留具１００の第二形態の斜視図である。
【図３】図１に示した髪留具１００の係止部３を備えた髪留本体１と、装飾部２の平面図である。
【図４】図１に示した髪留具１００の使用手順を説明する参考図であって、（ａ）は、使用前の状態を示す平面図であって、（ｂ）は、装飾部２を手に持って、係止部３に挿通しようとしている状態を示す参考図である。
【図５】図１に示した髪留具１００の使用手順を説明する参考図であって、（ｃ）は、装飾部２を手に持って、係止部３に挿通している状態を示し、（ｄ）は、装飾部２を係止部３に挿通して第一形態とした状態を示す参考図である。
【図６】図１に示した髪留具１００の使用方法を説明する参考図であって、第一形態から第二形態にする手順を説明する参考図である。
【図７】図１に示した髪留具１００の使用手順を説明する参考図であって、髪留具１００の第二形態の斜視図である。
【図８】図１に示した髪留具１００の第二形態での平面図である。
【図９】この考案の実施形態２にかかる髪留具２００の第一形態の斜視図である。
【図１０】図９に示した髪留具２００の第二形態の斜視図である。
【図１１】図９に示した髪留具２００の使用手順を説明する参考図である。
【図１２】図９に示した髪留具２００の使用手順を説明する参考図であって、第一形態から第二形態にする手順を説明する参考図である。
【図１３】この考案の実施形態３にかかる髪留具３００の第一形態の斜視図である。
【図１４】図１３に示した髪留具３００の使用手順を説明する参考図である。
【図１５】図１３に示した髪留具３００の使用手順を説明する参考図であって、装飾部２の折りたたみ方を説明する参考図である。
【図１６】図１３に示した髪留具３００の使用手順を説明する参考図である。
【図１７】図１３に示した髪留具３００の使用手順を説明する参考図である。
【図１８】この考案の実施形態４にかかる髪留具４００の、髪留本体１と装飾部２の平面図である。
【図１９】図１８に示した髪留具４００の第一形態のデザインを作成する手順を説明する参考図である。
【図２０】図１８に示した髪留具４００の第二形態のデザインを作成する手順を説明する参考図である。
【図２１】図１８に示した髪留具４００の第三形態のデザインを作成する手順を説明する参考図である。
【考案を実施するための形態】
【００１４】
（実施の形態１）
図１は、この考案の実施形態１にかかる髪留具１００の第一形態の斜視図である。図２は、図１に示した髪留具１００の第二形態の斜視図である。図３は、図１に示した髪留具１００の係止部３を備えた髪留本体１と、装飾部２の平面図である。
【００１５】
図１に示すように、この髪留具１００は、髪を束ねて留める環状の髪留本体１と、幅広の帯状物である装飾部２を主に有する。装飾部２の長手方向中央付近は、リング形状の係止部３によって、髪留本体１に係止されている。
【００１６】
髪留本体１は、帯状の布地の長手方向の両端縁を縫い合わせて筒形状にして、さらに、短手方向の両端縁を縫い合わせて環状筒形状とした環状筒部１１有している。環状筒部１１の筒の中には、ゴム紐からなる中ゴム１２（不図示）が通されている。中ゴム１２は、環状筒部１１よりも直径の小さいリング形状のゴム紐である。髪を束ねる際は、中ゴム１２が伸縮して髪をしっかりとまとめ保持する。また、中ゴム１２が環状筒部１１に挿通されていることによって、髪を束ねた際、環状筒部１１に、ほどよいギャザーが寄り、美しいデザインを形成する。
【００１７】
髪留本体１は、シュシュと呼ばれ、女性が髪を束ねる際に、頻繁に利用されている。シュシュは、様々な色や柄で作られ、その日の服や気分に合わせて、髪をお洒落に装飾するものであるが、シュシュ単体では、華やかさが不足し、デザインのバリエーションも少ない。
【００１８】
そこで、本考案の髪留具１００は、シュシュ形状の髪留本体１に、さらに、装飾部２と、係止部３を備えていて、髪を華やかに装飾することが可能となっている。係止部３は、細長いリボンまたは帯状の布の短手方向両端を縫い合わせてリング形状にしたものである。係止部３の環の中には、髪留本体１が挿通されており、係止部３は、髪留本体１の環状筒部１１の短手方向の外周を囲むように設けられている。装飾部２は、色や柄を変えたものを複数用意しておき、その日の服装や気分にあわせた好みの色や柄のものを選んで使用できるようにしておくと良い。髪留本体１も、色や柄を変えたものを複数用意しておくと良い。
【００１９】
係止部３の直径は、髪留本体１の環状筒部１１の直径よりも少し大きくなっており、係止部３は、髪留本体１の環状筒部１１の長手方向に沿って、動かせるようになっている。係止部３の直径は、髪留本体１を挿通し、さらに、装飾部２を挿通できる大きさとなっている。
【００２０】
装飾部２は、布地やサテン生地からなる帯状体である。髪留具１００は、図１のように、係止部３の環の中に、装飾部２を通して、装飾部２の長手方向中央近傍を係止部３で留めると、装飾部２の中央近傍が係止部３によって絞られ、リボン形状となる。また、装飾部２の両端を、それぞれ後ろに折って、先端を係留部３の輪の中に差し入れると、図２のように、リボンの形が変形し、小ぶりなリボン形状となり、ひとあじ違ったデザインを楽しむことができる。
【００２１】
図３に示すように、係止部３が挿通された髪留本体１と、装飾部２は、分離することができる。係止部３は、リング形状であって内部または裏側にリング形状の芯材３１を有し、髪留本体１に挿通されている。芯材３１は、針金やステンレスワイヤー、テクノロートその他の素材からなる。芯材３１の素材は、ある程度の硬度を持ち、かつ、形状保持が容易な素材が適している。芯材３１が設けられていることによって、係止部３の形状が、しっかりと保持され、装飾部２を挿通しやすい。係止部３は、実施の形態１では、環状筒形状の布に金属素材の細いリングを芯材３１として作られているが、係止部３は、環状筒形状の布ではなく、金属のリングとして芯材３１を省略しても良い。
【００２２】
髪留具１００の係止部３の芯材３１は、１本のワイヤー素材を係止部３の中心に沿って埋めこんでいるが、芯材３１の本数は１本に限定されるものではなく、ワイヤー素材を二本用いて、係止部３の両端に沿って埋め込んでも良い。二本のワイヤー素材を埋め込むと、係止部３の両端を固定できるので、係止部３の型崩れを防ぐことができる。
【００２３】
装飾部２は、帯形状の布であり、裏面または内部に、細長い棒形状の芯材２１が設けられている。芯材２１は、針金やステンレスワイヤー、テクノロートその他の素材からなる。芯材２１の素材は、ある程度の硬度を持ち、かつ、形状保持が容易な素材良い。芯材２１が設けられていることによって、装飾部２を、係止部３に挿通しやすくなるとともに、リボンの形を形成した際に、リボンのかたちを綺麗に保持する効果も有している。針金やテクノロートは、自由に屈曲でき、その形状を保持できるので装飾部２の両端を上側に向けて固定したり、兎の耳のように立ててみたり、動きのあるデザインにして楽しむこともできる。
【００２４】
本実施の形態では、芯材２１は装飾部２中央に長手方向に沿って設けられているが、芯材２１は、長手方向に沿って、装飾部２の上方と下方に二本設けても良いし、装飾部２の短手方向の両端に二本設けても良い。
【００２５】
次に図４から図５を用いて、実施の形態１の髪留具１００の使用方法を説明する。
【００２６】
図４は、図１に示した髪留具１００の使用手順を説明する参考図であって、（ａ）は、使用前の状態を示す平面図であって、（ｂ）は、装飾部２を手に持って、係止部３に挿通しようとしている状態を示す参考図である。図５は、図１に示した髪留具１００の使用手順を説明する参考図であって、（ｃ）は、装飾部２を手に持って、係止部３に挿通している状態を示し、（ｄ）は、装飾部２を係止部３に挿通して第一形態とした状態を示す参考図である。図６は、図１に示した髪留具１００の使用方法を説明する参考図であって、第一形態から第二形態にする手順を説明する参考図である。図７は、図１に示した髪留具１００の使用手順を説明する参考図であって、髪留具１００の第二形態の斜視図である。図８は、図１に示した髪留具１００の第二形態での平面図である。
【００２７】
髪留具１００を使用する際は、まず、図４（ａ）に示すように、装飾部２を平らに広げた状態から（ｂ）に示すように、装飾部２の一方の端を先端が細くなるよう、絞るように手で掴んで、髪留本体１と係止部３との間隙に、装飾部２の先端を差しこむ。
【００２８】
さらに、図５（ｃ）のように、そのまま装飾部２の先端を押し入れて係止部３を挿通させ、（ｄ）のように、装飾部２の長手方向中央近傍に係止部３がくるように形を整える。係止部３には芯材３１が、装飾部２には、芯材２１が設けられているので、係止部３に装飾部２が通しやすい。また、装飾部２の芯材２１は、係止部２に装飾部２を通したあと、奇麗なリボン形に整えやすい効果も有する。装飾部２を係止部３に挿通する際、好みによって、装飾部２の中央近傍ではなく、どちらかの側に偏った場所に係止部３がくるように留めて、アシンメトリーなデザインのリボンにして楽しんでも良い。
【００２９】
髪留具１００は、シュシュにリボンが加わったデザインであるが、色や柄については、複数の装飾部２を複数用意することによって、様々な色や柄を楽しむほか、リボンの形状については２種類の相違した形状を楽しむことができる。第一形態は、図５（ｄ）に示したような横長のリボン形状であり、第二形態は、第一形態から、ひと手間加えると形成することができる。
【００３０】
第二形態のリボン形状の作り方は、図６（ｃ）に示すように、装飾部２の右側のリボン部分を点線のあたりで折り返して、装飾部２の先端を係止部３の環の中に差し込む。それから、図６（ｆ）のように、装飾部２の左側のリボン部分を点線のあたりで折り返し、同じように、先端を係止部２の環の中に差し込む。
【００３１】
図７に示すように、装飾部２の両側リボン部分を折り返して、装飾部２の両側先端を係止部３に差し入れると、蝶々のような、小ぶりで可憐なリボン形状となる。これが髪留具１００の第二形態である。髪留具１００は、装飾部２を使用せず、髪留本体１のみで使用することもできるので、形状に関しては主に、３つのバリエーションがあることになる。さらに、第二形態に関しては、装飾部２を、どの程度折り返すかで、大きなリボンにしたり、小ぶりのリボンにしたり、デザインを微妙に変えることができるので、その日の服装や気分に合わせて、リボンなし、大きなリボン、任意の大きさのリボン、と、好みの大きさのリボンで髪を束ね装飾することが可能である。
【００３２】
形状のバリエーションのほか、髪留具１００は、装飾部２を色や柄を変えて用意することができ、その日の服装や気分にあわせて、色や柄をチョイスすることができる。また、係止部３の直径を、すこし大きめのものにすれば、１つの髪留本体１に、２本の装飾部２を挿通して羽が４つのリボン形状を楽しむこともできる。装飾部２は二本以上、通して華やかさを演出しても良い。また、シフォン生地やレース等を用いても、違った表情の髪留具１００とすることができ、無限のバリエーションで髪のお洒落を楽しむことができる。
【００３３】
図８に示すように、髪留具１００の第二形態は、上面視、装飾部２の両端の先端が係止部３の中に差し入れられている。装飾部２は、内部または裏面に芯材２１が設けられているので、係止部３の中に差し入れただけで固定でき、リボン形状を、しっかりと保持できる。また、芯材２１に自由に屈曲して形状保持できるテクノロートなどの素材を用いれば、係止部３に装飾部２差し入れたあと、先端をすこし折りかえしておくことにより、装飾部２が、係止部３から、さらに外れてにくく、しっかりと固定することが可能となる。
【００３４】
（実施の形態２）
次に、図９から図１２を示しながら、本考案の実施の形態２の髪留具２００を説明する。
【００３５】
図９は、この考案の実施形態２にかかる髪留具２００の第一形態の斜視図である。
図１０は、図９に示した髪留具２００の第二形態の斜視図である。図１１は、図９に示した髪留具２００の使用手順を説明する参考図である。図１２は、図９に示した髪留具２００の使用手順を説明する参考図であって、第一形態から第二形態にする手順を説明する参考図である。
【００３６】
図９に示すように、髪留具２００は、装飾部２の両端が丸みを帯びた形状となっている。第一形態は、装飾部２を係止部３に通した、横長のリボン形状である。髪留具２００の装飾部２は、芯材は入っておらず、やわらかい布地でできた両端の丸い帯であり、装飾部２の裏側には、留め具２２、２３（不図示）が設けられている。留め具２２、２３については後述する。
【００３７】
図１０は、髪留具２００の装飾部２の両端を折り返して作る第二形態である。左右に半月状の羽根を広げたような形状のリボンがついた形態となっている。髪留具２００も、色や柄を変えて装飾部２や髪留本体１を複数用意し、その日の服装や気分にあわせて、好みの色や柄を組み合わせて使用することができる。また、髪留本体１は、上半分と下半分の色や柄を変えたものにすると、髪を束ねて留めたときに、上下の相違する色や柄が組み合わさって表情豊かなデザインとすることができる。装飾部２は、表面と裏面を色や柄の違う生地とすると、表面を使用する際と、裏面を使用する際とで、２通りのデザインを楽しむことができる。
【００３８】
図１１に示すように、装飾部２の裏面には留め具２２及び２３が設けられている。髪留本体１は、係止部３に挿通されているが、この図では、装飾部２の裏面がよく見えるよう、分離して示してある。留め具２２は留め具２３と、互いに係止可能となっている。留め具２２と２３は、スナップボタンでも良いし、面ファスナーでも良いし、ボタンとボタンホールでも良い。また、留め具２２と２３は、複数ずつ設けて、留める位置を選べるようにし、留める位置を変えることによって、リボンの大きさをかえることができるようにしても良い。
【００３９】
次に、図１２を示しながら、実施の形態２の髪留具２００の使用方法についてと、第一形態から第二形態の作り方について説明する。まず、最初に、装飾部２の先端を、髪留本体１の係止部３に差し入れて、第一形態のリボン形状を作る。第一形態は、横長のリボン形状である。髪留具２００は、芯材が入っていないので、装飾部２は、やわらかい。そのため、装飾部２を係止部３に差し込むときは、装飾部２の先端が先細形状になるよう生地を絞るように折って差し入れていくと良い。第一形態を形成したら、次に、図１２（ａ）のように、装飾部２の右側のリボンの羽根部分を点線あたりで折り返し留め具２２を留め具２３に係止し、その後、図１２（ｂ）のように、装飾部２の左側のリボンの羽根部分を点線あたりで折り返して、留め具２２を留め具２３に係止すると、第二形態のリボン形状を形成することができる。
【００４０】
髪留具２００の装飾部２は、レース生地やシフォン素材等、やわらかい生地で形成しても、表情豊かな髪留具２００とすることができる。また、装飾部２を様々な色のシフォン生地で複数用意して、二種類以上の装飾部２を係止部３に挿通してリボンを形成すると、シフォンのそれぞれの色が交じり合って、装飾性の高い髪留具２００とすることができる。
【００４１】
（実施の形態３）
次に、図１３から図１７を示しながら、実施の形態３の髪留具３００を説明する。
【００４２】
図１３は、この考案の実施形態３にかかる髪留具３００の第一形態の斜視図である。図１４は、図１３に示した髪留具３００の使用手順を説明する参考図である。図１５は、図１３に示した髪留具３００の使用手順を説明する参考図であって、装飾部２の折りたたみ方を説明する参考図である。図１６は、図１３に示した髪留具３００の使用手順を説明する参考図である。図１７は、図１３に示した髪留具３００の使用手順を説明する参考図である。
【００４３】
図１３に示すように、髪留具３００の装飾部２は、長手方向の長さが長く、蝶結びした先端が下側に垂れ下がるデザインとなっている。蝶結びした先端の長さを長くしたり、短くしたりすることによって、ニュアンスが変わり、様々な表情の蝶結びを形成することができる。
【００４４】
図１４に示すように、髪留具３００の装飾部２は、長手方向の長さが、実施の形態１または２よりも長くなっている。装飾部２の内部には芯材２１が設けられている。芯材２１は、ステンレスワイヤーや針金その他のある程度の硬さをもった線材である。
【００４５】
髪留具３００の使用方法を説明する。まず、図１５に示すように、装飾部２を、あらかじめ折りたたんでおく。図１５（ａ）に示すように、装飾部２を、点線のところ、長手方向の３分の１の部分及び３分の２の部分で折って、図１５（ｂ）のように、三重に重ねるようにして畳む。
【００４６】
それから、図１６（ｃ）のように、三重に重ねた装飾部２を手に持ち、図１６（ｄ）のように、係止部３の環の中に、装飾部２の先端を挿通する。装飾部２の内部には芯材２１が設けられているので、挿入しやすい。
【００４７】
図１７（ｅ）のように、装飾部２を中ほどまで係止部３に挿通したら、装飾部２の両端を下に引っ張って、図１７（ｆ）のように、形を整える。芯材２１は、針金等、曲げやすく、形状が決めやすい素材を用いると良い。
【００４８】
髪留具３００の装飾部２は、色や柄を変えたもの、また、長さや幅を変えたもの、コットン生地やレザー生地、レース素材やシフォン生地のもの、と、様々なデザインのものを複数用意して、その日の服装や気分にあわせて、どれか１つまたは複数の装飾部２を選択して、髪留本体１に挿通して使用するようにすると良い。装飾部２は、使用しないときは畳んで収納しておけば、かさばらず、持ち運びも便利である。また、装飾部２の両端または片側の端を係止部３に差し入れたり留め具２２、２３で留めておくことによって、バリエーションに富んだリボン形状を作れるので、飽きがこず、何度でも繰り返し使用することができる。
【００４９】
（実施の形態４）
次に、図１８から図２１を示しながら、実施の形態４の髪留具４００を説明する。
【００５０】
図１８は、この考案の実施形態４にかかる髪留具４００の、髪留本体１と装飾部２の平面図である。図１９は、図１８に示した髪留具４００の第一形態のデザインを作成する手順を説明する参考図である。図２０は、図１８に示した髪留具４００の第二形態のデザインを作成する手順を説明する参考図である。図２１は、図１８に示した髪留具４００の第三形態のデザインを作成する手順を説明する参考図である。
【００５１】
図１８に示すように、髪留具４００は、係止部３が設けられた髪留本体１と装飾部２からなる。装飾部２は、四角形の布地からなる。この髪留具４００は、３種類のリボン形状を楽しむことができる。
【００５２】
髪留具４００の第一形態の作り方は、図１９（ａ）に示すように、装飾部２を、底辺が床面に対し併行になるよう保ちつつ係止部３に差し入れる。装飾部２の中央近傍に係止部３がきたところで、装飾部２の両側のリボンを広げて形を整える。髪留具４００の第一形態のリボン形状は、図１９（ｂ）に示すように、両側に羽が大きく広がったような形状の華やかなリボンである。
【００５３】
髪留具４００の第二形態の作り方は、図２０（ａ）に示すように、装飾部２を、対角線の１つが床面に対し併行になるよう角度をつけて係止部３に差し入れる。装飾部２の中央近傍に係止部３がきたところで、装飾部２の両側のリボンの形を広げるようにして整える。髪留具４００の第二形態のリボン形状は、図２０（ｂ）に示すように、両側に兎の耳を横にしたような形状の羽根がのびた可愛らしい形状のリボンである。装飾部２の対角線にテクノロートなどの芯材を入れると、リボンの両端を上方に向けて、兎の耳が立っているような愛らしい形状とすることもできる。
【００５４】
髪留具４００の第三形態の作り方は、図２０（ｂ）で示した第二形態から、さらに手を加えて形成する。第三形態のリボンを作るには、図２１（ｃ）に示すように、第二形態にしたリボンの両端を、点線部分で後ろ側に折りかえし、図２１（ｄ）に示すように、装飾部２の先端を係止部３の輪の中に押し込み固定してリボンの形を整える。第三形態のリボンは、小ぶりで控えめな形状のリボンである。
【００５５】
髪留具４００の装飾部２は、色や柄を変えたもの、また、長さや幅を変えたもの、コットン生地やレザー生地、レース素材やシフォン生地のもの、と、様々なデザインのものを複数用意して、その日の服装や気分にあわせて、どれか１つまたは複数の装飾部２を選択して、髪留本体１に挿通して使用するようにすると良い。装飾部２は、使用しないときは畳んで収納しておけば、かさばらず、持ち運びも便利である。また、装飾部２の両端または片側の端を係止部３に差し入れたり、留め具２２、２３で留めておくことによって、バリエーションに富んだリボン形状を作れるので、飽きがこず、何度でも繰り返し使用することができる。
【符号の説明】
【００５６】
１００，２００，３００，４００  髪留具
１  髪留本体
１１  環状筒部
１２  中ゴム
２  装飾部
２１  芯材
２２，２３  留め具
３  係止部
３１  芯材
Ｈ      手
【図１】
0003198486.tif 000003
【図２】
0003198486.tif 000004
【図３】
0003198486.tif 000005
【図４】
0003198486.tif 000006
【図５】
0003198486.tif 000007
【図６】
0003198486.tif 000008
【図７】
0003198486.tif 000009
【図８】
0003198486.tif 000010
【図９】
0003198486.tif 000011
【図１０】
0003198486.tif 000012
【図１１】
0003198486.tif 000013
【図１２】
0003198486.tif 000014
【図１３】
0003198486.tif 000015
【図１４】
0003198486.tif 000016
【図１５】
0003198486.tif 000017
【図１６】
0003198486.tif 000018
【図１７】
0003198486.tif 000019
【図１８】
0003198486.tif 000020
【図１９】
0003198486.tif 000021
【図２０】
0003198486.tif 000022
【図２１】
0003198486.tif 000023